(57)【特許請求の範囲】
【請求項１】
裏カバーを合成樹脂製の表カバーによって覆って中空状に形成されるドア操作ハンドルであって、
前記表裏カバーは、双方が両側縁に側壁を有する薄肉の断面コ字形状又は断面略コ字形状に形成され、少なくとも一方のカバーを他方のカバーに長手通しほぼ全長に渡って外嵌合するとともに、適宜箇所をネジ止めして連結され、
かつ、内嵌合側カバーと外嵌合側カバーの少なくともいずれか一方は一端が開放端として形成されるとともに、連結状態において、内嵌合側カバーの両端部近傍に形成される嵌合凹部に外嵌合側カバーから突設される嵌合突部が長手方向および幅方向において嵌合するドア操作ハンドル。
【請求項２】
前記嵌合突部と嵌合凹部とは、幅方向に係合する階段状段差を有する請求項１記載のドア操作ハンドル。
【請求項３】
前記外嵌合側カバーは一方の短辺が開放され、残余の三辺が立ち上がり壁を備えて閉塞されたほぼ細長矩形枠形状に形成されるとともに、
外嵌合側カバーの開放縁は、中空部内に収容される光源からの発光光を導光して発光する照光体が配置される請求項１または２記載のドア操作ハンドル。
【請求項４】
前記中空部内には、電気錠へのアクセス権限を認証するための認証信号受信部が収容される請求項１、２または３記載のドア操作ハンドル。
【請求項５】
請求項４記載のドア操作ハンドルと、
前記認証信号受信部から受信した認証信号を認証する認証部が格納された電気錠と、
を有する錠装置。
【発明の詳細な説明】
【技術分野】
【０００１】
本発明は、ドア操作ハンドルに関するものである。
【背景技術】
【０００２】
表裏カバーを連結して形成される中空部に電子部品を収容した操作ハンドルとしては、特許文献１、２に記載のものが知られている。特許文献１記載の発明は、操作ハンドルはハンドル本体（裏カバー）に開設された開口をハンドルカバー（表カバー）により閉塞して形成されるもので、操作ハンドルに加えられる負荷のほぼ全量が裏カバーにより負担されるために、２部品を連結することによる強度、あるいは剛性の低下を防ぐことができるが、表カバーの連結強度が低い上に、表カバーと裏カバーとの境界が表面に大きく露出するために、意匠的自由度が低いという問題がある。
【０００３】
これに対し特許文献２は、表裏カバーを嵌合させて形成されるもので、表裏各々のカバーが適度の剛性を有するために、操作ハンドルに荷重が負荷された場合、表裏カバーによる適切な強度分担が行われるために、全体の強度も見込める上に、上述した意匠的問題も解決できるように思われる。
【０００４】
しかし、上述した従来例において、表裏カバーによる適切な強度分担を行うためには、表カバーを両端が閉塞されたボックス形状にする必要があるために、意匠的な自由度が低くなるという欠点がある。すなわち、表カバーを一端が非連結の開放端として形成すると、表カバーの剛性が弱くなる結果、適切な強度分担が行われずに全体の強度低下を招く虞がある。
【先行技術文献】
【特許文献】
【０００５】
【特許文献１】特開２００４-３２４１０６号公報
【特許文献２】特開２００７-１７７４７２号公報
【発明の概要】
【発明が解決しようとする課題】
【０００６】
本発明は、以上の欠点を解消すべくなされたものであって、表カバーの意匠的な自由度を高めることが可能で、かつ、全体として強度の高いドア操作ハンドルの提供を目的とする。
【課題を解決するための手段】
【０００７】
本発明によれば上記目的は、
裏カバー１を合成樹脂製の表カバー２によって覆って中空状に形成されるドア操作ハンドルであって、
前記表裏カバー１、２は、双方が両側縁に側壁を有する薄肉の断面コ字形状又は断面略コ字形状に形成され、少なくとも一方のカバーを他方のカバーに長手通しほぼ全長に渡って外嵌合するとともに、適宜箇所をネジ止めして連結され、
かつ、内嵌合側カバーと外嵌合側カバーの少なくともいずれか一方は一端が開放端として形成されるとともに、連結状態において、内嵌合側カバーの両端部近傍に形成される嵌合凹部３に外嵌合側カバーから突設される嵌合突部４が長手方向および幅方向において嵌合するドア操作ハンドルを提供することにより達成される。
【０００８】
ドア操作ハンドルは、一方のカバー（外嵌合側カバー）の両側縁に立設された立ち上がり壁６間に内嵌合側カバーを嵌合させた後、表裏カバー１、２をビス１１により連結して形成され、ドア操作ハンドルに操作力を負荷した場合、一方のカバーの剛性が低いと、剛性の低い方のカバーは撓んで表裏カバー１、２の構造体としての一体性が失われ、以後、負荷は他方のカバーにおいてのみ負担することとなるために、操作ハンドル全体としての強度が低下する。
【０００９】
本発明において、内嵌合側カバーの両端部近傍に嵌合凹部３を形成し、外嵌合側カバーを嵌合させることによって表裏いずれかのカバーの剛性が低くても構造的な一体化が図られるために、表裏双方のカバーによる強度負担が可能になるハンドル全体の強度が向上する。
【００１０】
また、嵌合凹部３と嵌合突部４とは、表裏カバー１、２の両端部、すなわち一方が変形した場合の撓み量が大きな位置に配置されるために、変形を有効に防止し、両部材の一体化を達成できる。
【００１１】
さらに、嵌合突部４と嵌合凹部３とは、長手方向に加え幅方向においても相互に係合するために、一体化の程度が向上し、より強度向上を達成できる。この場合、前記嵌合突部４と嵌合凹部３とは、幅方向に係合する階段状段差５を有するドア操作ハンドルを構成することが可能である。
【００１２】
以上の操作ハンドルは、
ドア枠１２に固定されたストライク１３に進退してドア体１４を施解錠する施錠体１５、および施錠体１５を駆動するアクチュエータ１６を錠ケース内に収容してドア体１４に固定される電気錠１０と、
ドア体１４に装着される操作ハンドル（Ｈ）とを有し、
前記操作ハンドル（Ｈ）には、前記電気錠１０へのアクセス権限を認証するための認証信号受信部９が格納されるとともに、
電気錠１０の錠ケース内には、前記認証信号受信部９により受信した認証信号を認証する認証部が格納される錠装置に利用できる。
【００１３】
操作ハンドル（Ｈ）内に認証信号の受信部を収容した錠装置としては、特許文献２に記載したように、受信部からの出力をハーネスを経由してドア体１４内に引き込んだ後、車載コンピュータ等のコントローラに連結するように構成されるものがあるが、この場合、配線引き回し長が長くなり、信号減衰、ノイズ侵入対策等の必要が発生してしまう。
【００１４】
これに対し、認証部を電気錠１０内に収容すると、配線引き回し長を可及的に短くすることが可能になる。とりわけ、玄関ドア等において使用される操作ハンドル（Ｈ）においては、操作ハンドル（Ｈ）への操作力を直接、あるいは簡単なリンク装置等により電気錠１０内のラッチボルト１７に伝達する構成が多用されるために、電気錠１０と操作ハンドル（Ｈ）が近接配置されることが多く、配線引き回し長の短縮化に有効である。
【００１５】
操作ハンドル（Ｈ）内には、ＲＦＩＤを利用するカード型認証装置の認証用カードとの交信アンテナ、あるいは、利用者が携帯する携帯型発信装置との交信用アンテナ、あるいは指紋センサ等の生体認証装置の画像読み取り部等、使用する認証装置に対応した種々のものを収容できる。
なお、本発明によれば、
裏カバー１を合成樹脂製の表カバー２によって覆って中空状に形成されるドア操作ハンドルであって、
前記表裏カバー１、２は、少なくとも一方のカバーを他方のカバーに外嵌合するとともに、適宜箇所をネジ止めして連結され、
かつ、連結状態において、内嵌合側カバーの両端部近傍に形成される嵌合凹部３に外嵌合側カバーから突設される嵌合突部４が嵌合するドア操作ハンドルを提供することも可能である。
【発明の効果】
【００１６】
本発明によれば、表カバーの意匠的な自由度を低めることなく、全体として強度を高くすることができる。
【図面の簡単な説明】
【００１７】
【図１】錠装置の構成を示す図で、（ａ）は扉体のインサイドハンドル設置面を示す図、（ｂ）は錠装置の断面図、（ｃ）は扉体のアウトサイドハンドル設置面を見た図である。
【図２】アウトサイドハンドルの取付状態を示す分解斜視図である。
【図３】アウトサイドハンドルを示す図で、（ａ）は断面図、（ｂ）は表カバーを取り除いて示す（ａ）の３Ｂ方向矢視図である。
【図４】アウトサイドハンドルの分解斜視図である。
【図５】表カバーを示す図で、（ａ）は斜視図、（ｂ）は要部断面図である。
【図６】アウトサイドハンドルの断面図である。
【発明を実施するための形態】
【００１８】
図１に玄関扉に装着された錠装置を示す。錠装置は、ドア体１４内に固定される電気錠１０と、ドア体１４の屋外側壁面に取り付けられるアウトサイドハンドル（操作ハンドル（Ｈ））と、屋内側壁面に取り付けられるインサイドハンドル１８とを有する。
【００１９】
ドア体１４の屋外側表面には上下取付ベース１９Ａ、１９Ｂが固定され（以下、本明細書においてドア体１４への取付姿勢を基準に「上下」を、ドア体１４の表裏面を向いて手前側を「正面」、反対側を「背面」とする。）、アウトサイドハンドルＨは、下端に突設されるヒンジ突片２０を下取付ベース１９Ｂに挿入して装着される。
【００２０】
装着状態において、アウトサイドハンドルＨはヒンジ突片２０の先端部周りに回転操作可能であり、アウトサイドハンドルＨを回転操作すると、アウトサイドハンドルＨの回転先端部と上取付ベース１９Ａに連結されたラッチ操作レバー２１が回転する。
【００２１】
電気錠１０は、錠ケース内にドア枠１２に固定されるストライク１３に進退してドア体１４を施解錠するデッドボルト（施錠体１５）と、施錠体１５を駆動するモータ等のアクチュエータ１６を収容して形成される。
【００２２】
電気錠１０は、上記アウトサイドハンドルＨの回転先端部に対応する上部電気錠１０Ａと、回転基端部に対応する下部電気錠１０Ｂとが使用され、上部電気錠１０Ａには、ドア枠１２のストライク１３に係止してドア体１４の閉扉状態を維持するラッチボルト１７が収容される。ラッチボルト１７は、アウトサイドハンドルＨの回転操作に伴うラッチ操作レバー２１の回転によってストライク１３との係止が解除され、あるいはラッチボルト１７が所謂反転ラッチとして構成される場合には、係止解除可能な状態に移行する。
【００２３】
一方、インサイドハンドル１８はドア体１４の屋内側壁面に固定される上下取付ベース２２Ａ、２２Ｂに保持されて回転軸２３周りに回転操作可能であり、回転操作に伴って上端部に固定されるラッチ操作レバー２４が回転して上部電気錠１０のラッチボルト１７に対する係止解除、あるいは係止解除可能状態への遷移操作が行われる。また、上下取付ベース２２Ａ、２２Ｂには、サムターン２５が装着されており、該サムターン２５を手動操作することにより上下部電気錠１０Ａ、１０Ｂの施錠体１５を操作することができる。
【００２４】
さらに、上記アウトサイドハンドルＨは中空状に形成され、中空部内に光源７となるＬＥＤと、認証信号受信部９としてのアンテナとを搭載した実装基板２６が格納される。実装基板２６への給電、および信号伝達は中空部内に布線されるハンドル内配線２７を経由して行われ、ハンドル内配線２７は、一旦ドア体１４内に引き出された後、下部電気錠１０Ｂの制御基板２８に接続される。
【００２５】
下部電気錠１０Ｂの制御基板２８は、商用電源２９から給電されて駆動され、ドア体１４内には商用電源２９と制御基板２８とを接続する給電用配線３０が布線される。制御基板２８に実装される回路には、上記アウトサイドハンドルＨ内のアンテナ９と協働してＲＦＩＤリーダ／ライタを構成し、認証部として機能する回路が含まれ、アンテナ９に利用者が所持するＲＦＩＤタグを翳すと、ＲＦＩＤタグと交信してＲＦＩＤタグのＩＤ情報が読み取られ、認証部に出力される。認証部において認証が成立すると、制御基板２８はアクチュエータ１６への駆動信号をセットしてアクチュエータ１６を駆動し、施錠体１５を作動させる。
【００２６】
また、下部電気錠１０Ｂの制御基板２８は、ドア体１４内を布線される錠間配線３１を経由して上部電気錠１０Ａに駆動信号を出力し、上部電気錠１０Ａのアクチュエータ１６、および施錠体１５を駆動する。
【００２７】
図２以下にアウトサイドハンドルＨの詳細を示す。アウトサイドハンドルＨは、上述したヒンジ突片２０を下端に備える裏カバー１に表カバー２を嵌合させて形成される。裏カバー１は合成樹脂を射出成形して形成され、その上端にはレバー取付片１ａが突設される。図２に示すように、レバー取付片１ａには、ピン３２により上取付ベース１９Ａに軸支されるラッチ操作レバー２１の一端が連結される。
【００２８】
また、裏カバー１には、図３、４に示すように、部品保持凹部１ｂが形成され、上述した実装基板２６とアンテナ９、および照光体８が固定され、実装基板２６への給電、および信号伝送のためのハンドル内配線２７は、ヒンジ突片２０近傍に開設したケーブル引出開口１ｃからアウトサイドハンドルＨ外部に引き出される。
【００２９】
さらに、図４に示すように、実装基板２６上にはＬＥＤ７が実装され、ＬＥＤ７からの放出光は照光体８に導かれた後、外部に放射される。
【００３０】
表カバー２は、上記アンテナとの交信電波を遮断しないように合成樹脂材により形成される。図４、５に示すように、表カバー２は両側縁に立ち上がり壁６を有して断面コ字形状に形成され、上端が開放され、下端を閉塞端として形成される。
【００３１】
アウトサイドハンドルＨは、表カバー２の立ち上がり壁６間に裏カバー１を嵌合させた後、ビス１１により連結して中空状に形成され、連結状態において上記照光体８が表カバー２の開放端を閉塞する。
【００３２】
また、図４ないし６に示すように、表裏カバー１、２には、相互に嵌合する嵌合凹部３と嵌合突部４とが設けられる。嵌合凹部３と嵌合突部４とは、表裏カバー１、２の上下端部近傍に形成され、連結後の外部への露出を防止するために、嵌合凹部３が内嵌合側カバーとしての裏カバー１に、嵌合突部４は、内嵌合側カバーを覆う外嵌合側カバーとしての表カバー２に配置される。
【００３３】
嵌合凹部３と嵌合突部４とを嵌合させることにより、長手通しほぼ全長にわたって表裏カバー１、２を嵌合させることによる幅方向の相対移動に加え、長手方向への相対移動も規制することができるために、表裏カバー１、２を連結した際のアウトサイドハンドルＨとしての一体性を向上させることができる。
【００３４】
また、嵌合凹部３と嵌合突部４とは、幅方向に向けて階段状段差５を有しており連結時に相互に係合する。表カバー２の立ち上がり壁６を全長にわたって裏カバー１の側壁部に外嵌合させる場合、全長にわたって均等な嵌合状態を達成することは困難なために、幅方向の相対移動の規制機能には限界があるが、局部的に配置される階段状段差５は寸法管理が容易なために、確実に係合状態を達成することができ、幅方向の相対移動を効果的に防止することができる。
【符号の説明】
【００３５】
１        裏カバー
２        表カバー
３        嵌合凹部
４        嵌合突部
５        階段状段差
６        立ち上がり壁
７        光源
８        照光体
９        認証信号受信部
１０      電気錠
【図１】
0006034006.tif 000002
【図２】
0006034006.tif 000003
【図３】
0006034006.tif 000004
【図４】
0006034006.tif 000005
【図５】
0006034006.tif 000006
【図６】
0006034006.tif 000007